(57)【要約】【課題】液漏れ、ドライアップを減少することができ、それにより信頼性の向上が期待できる電気二重層コンデンサを提供すること。【解決手段】電気二重層コンデンサは、外装部材としてのラミネートフィルム７ａの絶縁層の一部に窓部１５ａ，１５ｂを設け、そのラミネートフィルム７ａを外装兼端子板として用い、セル積層体９ａの上下面に窓部１５ａ、１５ｂが接するようにラミネートフィルム７ａでセル積層体９ａの封止を行う。【選択図】      図１
2004342643.tif 000002
【特許請求の範囲】
【請求項１】
電解質溶液を染み込ませた、非導電性およびイオン透過性を有する多孔性のセパレータを介して対向する一対の分極性電極を両端に開口部を備えたガスケット内に収容するとともに集電体で前記開口部を覆ってなる基本セル一つからなるか、又は、基本セルの複数を積層した積層体からなるコンデンサ基本体をラミネートフィルムで外装してなる電気二重層コンデンサにおいて、前記ラミネートフィルムは、金属箔とその両面に設けられた絶縁部とを備え、前記コンデンサ基本体の両端に対応する前記電気二重層コンデンサの両端面から端子を取り出したことを特徴とする電気二重層コンデンサ。
【請求項２】
請求項１記載の電気二重層コンデンサにおいて、前記ラミネートフィルムの金属箔を前記端子として用いたことを特徴とする電気二重層コンデンサ。
【請求項３】
請求項１又は２記載の電気二重層コンデンサにおいて、前記ラミネートフィルムは、前記電気二重層コンデンサの両端面の一部に端子取り出し用の窓部を備えていることを特徴とする電気二重層コンデンサ。
【請求項４】
請求項３記載の電気二重層コンデンサにおいて、前記ラミネートフィルムは前記コンデンサ基本体の両端面の外部を夫々覆うように設けられ、前記窓部は前記ラミネートフィルムの前記コンデンサ基本体の両端面に対応する位置に設けられていることを特徴とする電気二重層コンデンサ。
【請求項５】
請求項３又は４記載の電気二重層コンデンサにおいて、前記窓部は、前記コンデンサ基本体の一端面側の前記ラミネートフィルムの表裏面に設けられ、前記ラミネートフィルムの表裏面の夫々から前記夫々の絶縁層を貫通して前記金属箔に至る第１及び第２の窓部を備え、前記第１の窓部を介して前記コンデンサ基本体の一端面が前記金属箔と接触するとともに、前記第２の窓部を介して、前記金属箔の露出面を端子取り出し部としたことを特徴とする電気二重層コンデンサ。
【請求項６】
請求項５記載の電気二重層コンデンサにおいて、前記第１の窓部と前記第２の窓部の位置とが、前記金属箔の長さ方向の互いに異なる位置に設けられていることを特徴とする電気二重層コンデンサ。
【請求項７】
請求項５記載の電気二重層コンデンサにおいて、前記第１の窓部と前記第２の窓部とが前記金属箔を介して互いに対向する位置に設けられていることを特徴とする電気二重層コンデンサ。
【請求項８】
請求項５〜７の内のいずれか一つに記載の電気二重層コンデンサにおいて、前記ラミネートフィルムの前記コンデンサ基本体の他端面の表裏面に第３の窓部と前記第４の窓部とが前記金属箔を介して互いに対向する位置に設けられていることを特徴とする電気二重層コンデンサ。
【請求項９】
請求項８記載の電気二重層コンデンサにおいて、前記第３の窓部と前記第４の窓部の位置とが、前記金属箔の長さ方向の互いに異なる位置に設けられていることを特徴とする電気二重層コンデンサ。
【請求項１０】
請求項８記載の電気二重層コンデンサにおいて、前記第３の窓部と前記第４の窓部とが前記金属箔を介して互いに対向する位置に設けられていることを特徴とする電気二重層コンデンサ。
【請求項１１】
請求項１〜１０の内のいずれか一つに記載の電気二重層コンデンサにおいて、前記ラミネートフィルムによって、前記コンデンサ基本体が外装されて真空封入されていることを特徴とする電気二重層コンデンサ。
【請求項１２】
請求項１〜１０の内のいずれか一つに記載の電気二重層コンデンサにおいて、前記ラミネートフィルムと、前記コンデンサ基本体の端面との間の少なくとも一方に端子板を挟み、前記コンデンサ基本体を構成する各部の密着性を向上させて、当該電気二重層コンデンサの内部抵抗を下げたことを特徴とする電気二重層コンデンサ。
【請求項１３】
請求項１２記載の電気二重層コンデンサにおいて、前記ラミネートフィルムに外部から前記端子板まで貫通した窓部を設け，前記端子板を露出させて、当該露出部を前記端子として用いることを特徴とする電気二重層コンデンサ。
【請求項１４】
請求項１２記載の電気二重層コンデンサにおいて、前記ラミネートフィルムと、前記コンデンサ基本体の両端面と間に夫々端子板を挟むとともに、前記窓部は前記ラミネートフィルムの夫々の外部から前記夫々の端子板まで貫通して設けられた第１の貫通窓部と、第２の貫通窓部とを備え、前記第１及び第２の貫通窓部は前記コンデンサ基本体の両端面の外側に対応する位置で且つ互いに対向する位置に設けられていることを特徴とする電気二重層コンデンサ。
【請求項１５】
請求項１４記載の電気二重層コンデンサにおいて、前記ラミネートフィルムと、前記コンデンサ基本体の両端面と間に夫々端子板を挟むとともに、前記窓部は前記ラミネートフィルムの夫々の外部から前記夫々の端子板まで貫通して設けられた第１の貫通窓部と、第２の貫通窓部とを備え、前記第１及び第２の貫通窓部は前記コンデンサ基本体の両端面の外側に対応する位置で、且つ互いに対向する位置とは異なる位置に設けられていることを特徴とする電気二重層コンデンサ。
【請求項１６】
請求項１２〜１５の内のいずれか一つに記載の電気二重層コンデンサにおいて、前記端子板と前記ラミネートフィルムとは、接着によって密着していることを特徴とする電気二重層コンデンサ。
【請求項１７】
請求項３又は１３記載の電気二重層コンデンサにおいて、前記窓部の面積によって、端子取り出し部の面積が設定されることを特徴とする電気二重層コンデンサ。
【発明の詳細な説明】
【０００１】
【発明の属する技術分野】
本発明は、各種電子機器に使用される電気二重層コンデンサに関し、特にシート状の分極性電極を用いた電気二重層コンデンサに関する。
【０００２】
【従来の技術】
従来の電気二重層コンデンサについて図５及び図６を参照して説明する。図５は従来の一例による電気二重層コンデンサの基本セルを示す断面図である。図６は図５に示されている基本セルを用いた電気二重層コンデンサを示す断面図である。
【０００３】
図６に示すように、従来の電気二重層コンデンサ１２０は、複数の基本セル１０６を積層してなるセル積層体１０９と、電極となる端子板１１２とを備えている。
【０００４】
図５に示されるように基本セル１０６では、非導電性およびイオン透過性を有する多孔性のセパレータ１０５を介して対向配置された一対の分極性電極１０４が中空ガスケット１０２に収容されている。枠状のガスケット１０２の上面および下面には開口部が形成されている。ガスケット１０２の上面および下面のそれぞれに集電体１０１が接合されて、ガスケット１０２の上面および下面のそれぞれの開口部が集電体１０１によって封止されている。これにより、ガスケット１０２の内部にセパレータ１０５および一対の分極性電極１０４が封入されている。分極性電極１０４のセパレータ１０５と反対側の面には集電体１０１が接している。
【０００５】
また、ガスケット１０２の内部には、セパレータ１０５および分極性電極１０４と共に電解質溶液１０３が封入されており、この電解質溶液１０３がセパレータ１０５および分極性電極１０４にしみ込んでいる。図５の中で、分極性電極１０４の材質としては、特許文献１に開示されているような、活性炭粉末または活性炭繊維と、導電性付与剤などを主成分としたシート状の活性炭が用いられる。集電体の材質としては、導電性カーボンを含有するゴムまたは、プラスチックが用いられている。この集電体１０１は分極性電極１０４と接合されている。
【０００６】
ところで、電気二重層コンデンサ１２０の耐電圧は、電解質溶液１０３の電気分解電圧によって制限される。よって、電気二重層コンデンサ１２０に要求される耐電圧に応じて所定の数の基本セル１０６が直列に接続されて構成されている。
【０００７】
積層方向におけるセル積層体１０９の両端には端子板１１２が取り付けられている。それぞれの端子板１１２に圧力がかけられて、その状態が、例えば，金属箔を表裏両面からプラスチックフィルムの絶縁層で挟み込んだラミネートフィルムからなる外装パッケージ１０７により保持されている。このように外装パッケージ１０７によって一定の圧力が保持されることにより、隣り合う基本セル１０６同士の間や、基本セル１０６と端子板１１２との間に圧力がかけられて、電気二重層コンデンサ１２０の各構成部品同士の接触面での接触抵抗が下げられている。
【０００８】
ところで、このような電気二重層コンデンサ１２０において、近年、シート状の分極性電極１０４を用いることにより、電気二重層コンデンサ１２０が薄型化すると共に電気二重層コンデンサの等価直列抵抗（以下、ＥＳＲと略す）が提言されている。これにより、電気二重層コンデンサの新しい用途が検討されつつある。一例としては、携帯電話やＰＤＡ、ＤＳＣなどの電池の負荷変動吸収用のデバイスとして二次電池と組み合わせて用いられる用途が挙げられる。どの用途の場合も、携帯用電子機器の小型化・薄型化への傾向が高くなっている。そして、これらの電子機器に挿入される電気二重層コンデンサにも、他の電子部品と同様に小型化、特に薄型化への要求が顕著になっている。また、使用環境も、電気二重層コンデンサが高温の環境に設置される可能性が大きいので、高温の環境下における信頼性を確保する必要がある。
【０００９】
【特許文献１】
特開２０００−２４３６６７号公報
【００１０】
【発明が解決しようとする課題】
従来は、外装パッケージ、例えば、ラミネートフィルムの端部１１１から端子板を取り出していた。そのために、端子板１１２と外装部の封止部の接着性が悪く、液漏れやドライアップなどが起こる原因となっていた。
【００１１】
また、端部１１１から端子板を取り出さねばならず、サイズ（面積）の小型化も困難であった。
【００１２】
そこで、本発明は、以上の問題を解決し、液漏れ、ドライアップを減少することができ、それにより信頼性を向上できる電気二重層コンデンサを提供することを技術的課題とする。
【００１３】
【課題を解決するための手段】
本発明は、外装を金属箔の両面を絶縁層で覆われたラミネートフィルムを使用し、基本セルをラミネートフィルムで真空封止した構造によって、上記課題を解決したものである。
【００１４】
本発明によれば、電解質溶液を染み込ませた、非導電性およびイオン透過性を有する多孔性のセパレータを介して対向する一対の分極性電極を両端に開口部を備えたガスケット内に収容するとともに集電体で前記開口部を覆ってなる基本セル一つからなるか、又は、基本セルの複数を積層した積層体からなるコンデンサ基本体をラミネートフィルムで外装してなる電気二重層コンデンサにおいて、前記ラミネートフィルムは、金属箔とその両面に設けられた絶縁部とを備え、前記コンデンサ基本体の両端に対応する前記電気二重層コンデンサの両端面から端子を取り出したことを特徴とする電気二重層コンデンサが得られる。
【００１５】
また、本発明によれば、前記電気二重層コンデンサにおいて、前記ラミネートフィルムの金属箔を前記端子として用いたことを特徴とする電気二重層コンデンサが得られる。
【００１６】
また、本発明によれば、前記いずれか一つの電気二重層コンデンサにおいて、前記ラミネートフィルムは、前記電気二重層コンデンサの両端面の一部に端子取り出し用の窓部を備えていることを特徴とする電気二重層コンデンサが得られる。
【００１７】
また、本発明によれば、前記電気二重層コンデンサにおいて、前記ラミネートフィルムは前記コンデンサ基本体の両端面の外部を夫々覆うように設けられ、前記窓部は前記ラミネートフィルムの前記コンデンサ基本体の両端面に対応する位置に設けられていることを特徴とする電気二重層コンデンサが得られる。
【００１８】
また、本発明によれば、前記いずれか一つの電気二重層コンデンサにおいて、前記窓部は、前記コンデンサ基本体の一端面側の前記ラミネートフィルムの表裏面に設けられ、前記ラミネートフィルムの表裏面の夫々から前記夫々の絶縁層を貫通して前記金属箔に至る第１及び第２の窓部を備え、前記第１の窓部を介して前記コンデンサ基本体の一端面が前記金属箔と接触するとともに、前記第２の窓部を介して、前記金属箔の露出面を端子取り出し部としたことを特徴とする電気二重層コンデンサが得られる。
【００１９】
また、本発明によれば、前記電気二重層コンデンサにおいて、前記第１の窓部と前記第２の窓部の位置とが、前記金属箔の長さ方向の互いに異なる位置に設けられていることを特徴とする電気二重層コンデンサが得られる。
【００２０】
また、本発明によれば、前記電気二重層コンデンサにおいて、前記第１の窓部と前記第２の窓部とが前記金属箔を介して互いに対向する位置に設けられていることを特徴とする電気二重層コンデンサが得られる。
【００２１】
また、本発明によれば、前記いずれか一つの電気二重層コンデンサにおいて、前記ラミネートフィルムの前記コンデンサ基本体の他端面の表裏面に第３の窓部と前記第４の窓部とが前記金属箔を介して互いに対向する位置に設けられていることを特徴とする電気二重層コンデンサが得られる。
【００２２】
また、本発明によれば、前記電気二重層コンデンサにおいて、前記第３の窓部と前記第４の窓部の位置とが、前記金属箔の長さ方向の互いに異なる位置に設けられていることを特徴とする電気二重層コンデンサが得られる。
【００２３】
また、本発明によれば、前記電気二重層コンデンサにおいて、前記第３の窓部と前記第４の窓部とが前記金属箔を介して互いに対向する位置に設けられていることを特徴とする電気二重層コンデンサが得られる。
【００２４】
また、本発明によれば、前記いずれか一つの電気二重層コンデンサにおいて、前記ラミネートフィルムによって、前記コンデンサ基本体が外装されて真空封入されていることを特徴とする電気二重層コンデンサが得られる。
【００２５】
また、本発明によれば、前記いずれか一つの電気二重層コンデンサにおいて、前記ラミネートフィルムと、前記コンデンサ基本体の端面との間の少なくとも一方に端子板を挟み、前記コンデンサ基本体を構成する各部の密着性を向上させて、当該電気二重層コンデンサの内部抵抗を下げたことを特徴とする電気二重層コンデンサが得られる。
【００２６】
また、本発明によれば、前記電気二重層コンデンサにおいて、前記ラミネートフィルムに外部から前記端子板まで貫通した窓部を設け，前記端子板を露出させて、当該露出部を前記端子として用いることを特徴とする電気二重層コンデンサが得られる。
【００２７】
また、本発明によれば、前記電気二重層コンデンサにおいて、前記ラミネートフィルムと、前記コンデンサ基本体の両端面と間に夫々端子板を挟むとともに、前記窓部は前記ラミネートフィルムの夫々の外部から前記夫々の端子板まで貫通して設けられた第１の貫通窓部と、第２の貫通窓部とを備え、前記第１及び第２の貫通窓部は前記コンデンサ基本体の両端面の外側に対応する位置で且つ互いに対向する位置に設けられていることを特徴とする電気二重層コンデンサが得られる。
【００２８】
また、本発明によれば、前記電気二重層コンデンサにおいて、前記ラミネートフィルムと、前記コンデンサ基本体の両端面と間に夫々端子板を挟むとともに、前記窓部は前記ラミネートフィルムの夫々の外部から前記夫々の端子板まで貫通して設けられた第１の貫通窓部と、第２の貫通窓部とを備え、前記第１及び第２の貫通窓部は前記コンデンサ基本体の両端面の外側に対応する位置で、且つ互いに対向する位置とは異なる位置に設けられていることを特徴とする電気二重層コンデンサが得られる。
【００２９】
また、本発明によれば、前記いずれか一つの電気二重層コンデンサにおいて、前記端子板と前記ラミネートフィルムとは接着によって密着していることを特徴とする電気二重層コンデンサが得られる。
【００３０】
さらに、本発明によれば、前記いずれか一つの電気二重層コンデンサにおいて、前記窓部の面積によって、端子取り出し部の面積が設定されることを特徴とする電気二重層コンデンサが得られる。
【００３１】
【発明の実施の形態】
以下に、本発明の実施の形態について図面を参照しながら説明する。
【００３２】
（第１の実施の形態）
図１は本発明の第１の実施の形態による電気二重層コンデンサの断面図である。
【００３３】
第１の実施の形態による電気二重層コンデンサ１０ａの基本セルは、図５に示すものと同様な構成を有している。即ち、セパレータ１０５、一対の分極性電極１０４、電解質溶液１０３、ガスケット１０２、集電体１０１から基本セル１０６が構成されている。分極性電極１０４の材質は、粉末活性炭に炭素繊維などの導電性付与材およびバインダー材を混ぜて作製したシート状活性炭であればよく、そのバインダー材の材料や、分極性電極１０４の製造方法はどんなものであっても良い。ガスケット１０２は中空の構造であり、分極性電極１０４、セパレータ１０５および電解質溶液１０３を吸収して、集電体１０１が取り付けられるものである。
【００３４】
よって、ガスケット１０２の材質としては、プラスチックなどの絶縁物を用いることができ、ここでは耐熱性のポリオレフィン系樹脂を用いた。集電体１０１を構成する集電体シートは、カーボン粉末、その他を織り込んだポリオレフィン系の導電性シートを用いた。セパレータ１０５の材質は、非導電性で、かつ、イオン透過性の膜であれば材質を問わないので、ここでは、鉛蓄電池などにも使用されているＰＰ系セパレータを用いた。
【００３５】
図１に示すように、外装には金属箔８の両面に絶縁層を持つラミネートフィルム７ａを使用し、それを用いて基本セル１０６を積層したセル積層体９ａをコンデンサ基本体として、真空封止している。金属箔８は導電性を有するものであれば材質を問わないが、ここでは銅板の両面にメッキ処理を施したものを用いた。さらに、ラミネート外装の金属箔８ａ、８ｂを端子板として兼用する。そのため、本第１の実施の形態の電気二重層コンデンサは、上端側の金属箔両面の絶縁層を剥離して第１及び第２の窓部１５ａ，１５ｂを形成し、また、下端側の金属箔両面の絶縁層を剥離して第３及び第４の窓部１５ｃ，１５ｄを形成した構造となっており、基本セルの上下面に、金属箔の内側面２１ａ，２１ａを接触させて、外側の金属箔露出部分８ａ，８ｂより端子を取り出す構造となっている。
【００３６】
本第１の実施の形態による電気二重層コンデンサでは、分極性電極の外形寸法は、長さが１５ｍｍ、幅が１０ｍｍ、厚みが０．２５ｍｍである。ガスケットの中空部の寸法は、長さが１５ｍｍ、幅が１０ｍｍ、厚みが０．２５ｍｍ、外形寸法は長さが１７ｍｍ。幅が１２ｍｍ、厚みが０．１ｍｍである。セパレータの外形寸法は、長さが１６ｍｍ、幅が１１ｍｍ、厚みが０．０５ｍｍである。外装７ａの金属箔露出部分８ａ、８ｂの寸法は長さが８ｍｍ、幅が５ｍｍである。
【００３７】
本第１の実施の形態では、基本セル１０６を６個、直列に接続したセル積層体９ａを備えた耐電圧４．８Ｖの電気二重層コンデンサを作製した。また、電解質溶液１０３としては３０ｗｔ％の希硫酸を使用した。基本セル１０６内の一対の分極性電極は、フェノール系の粉末活性炭と、導電性カーボンおよびバインダーを１０：５：１の割合で混合し、成膜して作製したものである。
【００３８】
（第２の実施の形態）
図２は本発明第２の実施の形態による電気二重層コンデンサの断面図である。本発明の第２の実施の形態による電気二重層コンデンサ１０ｂでは端子板を図１の応用として基盤など外部との接触部分又は金属箔露出部分８ａ、８ｂに合わせて変えているものである。
【００３９】
即ち、上側のラミネートフィルム７ｂにおいては、第１の窓部１５ｅと、第２の窓部１５ｂとがラミネートフィルムの金属箔の長さ方向に互いにずれた位置に形成されており、一方、下側のラミネートフィルムにおいては、第１の実施の形態と同様に下端側の金属箔両面の絶縁層を剥離して第３及び第４の窓部１５ｃ，１５ｄが形成された構造となっている。従って、金属箔の内側面２１ｃ，２１ｂはセル積層体９ｂの両端面に接触しており、金属箔露出部分８ｃ，８ｄによって端子取り出し部が形成されている。即ち、コンデンサ基本体としてのセル積層体９ｂとの接触部分２１ｂ，２１ｃの形状は図１の８ａ、８ｂ部と同様である。
【００４０】
製造方法及び条件は図で示すように金属箔部分の露出している場所が基本セルの上下面で異なっているほかは第１の実施の形態と同様である。サンプルは、上記の外装部材の金属箔露出場所以外の形状は、第１の実施の形態例１と同じである。尚、セパレータ１０５、電解質溶液１０３、分極性電極１０４などの材料は第１の実施の形態と同様のものを使用した。
【００４１】
（第３の実施の形態）
図３は本発明第３の実施の形態による電気二重層コンデンサの断面図である。本第３の実施の形態による電気二重層コンデンサ１０ｃでは端子に外装に用いているラミネートの金属箔を用いず、金属の端子板１２、１２を端子として用いている。また、その際、端子板１２、１２とラミネートフィルムは熱融着されている。
【００４２】
ラミネートフィルム７ｃには、第１及び第２の貫通窓部７ｄ，７ｄが、上下端部で、端子板１２，１２で挟みこまれたセル積層体９ｅを介してほぼ対向する位置に設けられている。端子板１２，１２の第１及び第２の貫通窓部７ｄ，７ｄからの露出部分１２ａ，１２ｂが端子取り付け部となる。
【００４３】
電気二重層コンデンサ１０ｃの製造条件および方法は、第１及び第２の実施の形態と同様である。サンプルは、端子板の外形寸法は、長さが１７ｍｍ、幅が１２ｍｍ、厚みが０．１ｍｍである。他の材料の形状および材質は、第２の実施の形態と同様のものを使用した。
【００４４】
（第４の実施の形態）
図４は本発明第４の実施の形態による電気二重層コンデンサの断面図である。本第４の実施の形態による電気二重層コンデンサ１０ｄでは図３の端子板取り出し位置を任意に変更したものであり、端子の取り出し位置を金属端子板の露出部分１２ｂ、１２ｂのように、ラミネートフィルム７ｅに設けられた、互いに水平位置の異なる第１及び第２の貫通窓部７ｆ，７ｆによって自由に決定している。また、端子の取り出しサイズも任意に決定出来るが、ここでは長さが４ｍｍ、幅が４ｍｍで端面より２ｍｍの位置にした。
【００４５】
下記表１に、本発明の第１乃至第４の実施の形態による電気二重層コンデンサについて従来構造との特性比較結果を示す。
【００４６】
本比較例に使用する電気二重層コンデンサとして、図６に示す構造を有するものを使用した。電気二重層コンデンサ１２０の製造条件および方法は、第１の実施の形態と同様である。
【００４７】
サンプルは、端子板１１２の外形寸法は、長さが１５ｍｍ、幅が１０ｍｍ、厚みが０．１ｍｍで、幅方向に長さが８ｍｍ、幅が３ｍｍ、厚みが０．１ｍｍの凸部形成されている物である。また、外装は、金属箔が露出していないものを使用した。基本セル１０６を６個、電気的に直列に接続して耐電圧４．８Ｖの電気二重層コンデンサを作成した。尚、電解質溶液１０３及びその他の部材の材質は、第１〜第４の実施の形態と同様のものである。
【００４８】
以下に、上述のようにして作製した本第１〜第４の実施の形態による電気二重層コンデンサおよび比較例のそれぞれの電気二重層コンデンサに対して、等価直列抵抗の初期特性を測定した結果と、信頼性試験を実施した結果について述べる。
【００４９】
信頼性試験は７０℃の高温化、４．８Ｖ印加した状態で１０００時間置いたあと、充分に放電させてからＥＳＲを測定する。電気二重層コンデンサを高温化に放置する前と放置したあとのＥＳＲの変化量をΔＥとし、ＥＳＲの変化量ΔＥの初期値に対する割合ΔＥ／Ｅ（％）を元に信頼性を評価した。また、ＥＳＲと共に重量減少率に関しても測定した。ＥＳＲの測定は１ｋＨｚの試験信号周波数におけるインピーダンスを交流四端子法により測定し、その実数部を算出することで行った。尚、サンプル数は各水準５０個ずつとし、その平均を求めた。
【００５０】
【表１】
2004342643.tif 000003
【００５１】
比較例に対しＥＳＲの初期値はほぼ同程度であるが、信頼性も比較例と比べてＥＳＲ変化率が小さく、重量減少も比較例に対し、少なくなっている。特に第１及び第２の実施の形態は良い結果となっている。これは、以下の理由によるものと考えられる。
【００５２】
ＥＳＲ変化率、重量減少ともに言えることだが、第１及び第２の実施の形態は外装であるラミネートフィルムの封止部分が少ない。また、第１の実施の形態及び第２の実施の形態は、いずれも端面より端子を取り出していないため、外装のラミネートフィルムの封止がしっかりと行われている。このことにより、ドライアップや液漏れが比較例に比べ抑えることができ、信頼性が保たれていると考えられる。
【００５３】
尚、以上説明した本発明の実施の形態においては、基本セル１０６を複数積層したセル積層体をコンデンサ基本体としているが、基本セル１０６一つをコンデンサ基本体として用いることができることは勿論である。
【００５４】
【発明の効果】
以上説明したように、本発明によれば、外装部にラミネートフィルムを用いて封止し，両端面から端子を取り出す構造にすることにより、ラミネートフィルムの融着部からの液もれ、ドライアップを防止することが出来る電気二重層コンデンサを提供することができる。
【００５５】
また、本発明によれば、ラミネートフィルムの端部からの端子取り出しを止め、電気二重層コンデンサの両端面から取り出すことによりサイズの小型化を可能にすることができる電気二重層コンデンサを提供することができる。
【図面の簡単な説明】
【図１】本発明の第１の実施の形態による電気二重層コンデンサの構造を示す断面図である。
【図２】本発明の第２の実施の形態による電気二重層コンデンサの構造を示す断面図である。
【図３】本発明の第３の実施の形態による電気二重層コンデンサの構造を示す断面図である。
【図４】本発明の第４の実施の形態による電気二重層コンデンサの構造を示す断面図である。
【図５】電気二重層コンデンサの基本セル構造を示す断面図である。
【図６】比較例における電気二重層コンデンサの構造を示す断面図である。
【符号の説明】
７ａ、７ｂ、７ｃ、７ｅ    外装（ラミネートフィルム）
７ｄ，７ｆ    貫通窓部
８、８ａ、８ｂ、８ｃ、８ｄ    金属箔（金属箔露出部分）
９ａ、９ｂ、９ｄ、９ｅ、１０９    セル積層体
１０ａ、１０ｂ、１０ｃ、１０ｄ、１２０    電気ニ重層コンデンサ
１２，１１２    端子板
１２ａ，１２ｂ    露出部分
１５ａ，１５ｅ    第１の窓部
１５ｂ    第２の窓部
１５ｃ    第３の窓部
１５ｄ    第４の窓部
２１ａ、２１ｂ、２１ｃ    内側面（セル積層体との接触部分）
１０１    集電体
１０２    ガスケット
１０３    電解質溶液
１０４    分極性電極
１０５    セパレータ
１０６    基本セル
１０７    外装パッケージ
１１１    端子取り出し部（端部）
【図１】
2004342643.tif 000004
【図２】
2004342643.tif 000005
【図３】
2004342643.tif 000006
【図４】
2004342643.tif 000007
【図５】
2004342643.tif 000008
【図６】
2004342643.tif 000009